(57)【要約】【課題】電子機器の出し入れ作業を容易化しながら、電子機器が必要時以外に出てしまうことを防止でき、且つ、操作スティックにかかる負荷を軽減し易くする形状のケースを提供する。【解決手段】電子機器は、サイドカバー部２２とメインカバー部２１との間を通してメインカバー部２１によって形成される袋に入れられ、電子機器の操作スティック９が設けられた部分はサイドカバー部２２によって構成される蓋に収容される。サイドカバー部２２の蓋縁２２ａの上端２２ｂは、ケース１の中心線Ｃ１から、その下端２２ｃよりも離れて位置している。メインカバー部２１の袋縁２１ａは、上端２１ｂから下端２１ｃに向けて、ケース１の中心線Ｃ１に近づくように形成されている。【選択図】図１
2012253323.tif 000002
【特許請求の範囲】
【請求項１】
表示画面と当該表示画面の右側又は左側の一方側に設けられた操作スティックとを前面に備える携帯型電子機器を収容するための、伸縮性を有するケースであって、
前記電子機器の背面を覆うためのバックカバー部と、
前記電子機器の前面を覆うためのフロントバー部と、を含み、
前記フロントカバー部は、前記電子機器の前記一方側の部分の前面を覆うためのサイドカバー部と、前記電子機器の残部の前面を覆うためのメインカバー部と、を含み、
前記メインカバー部は、前記電子機器の前記残部を収容可能で且つ前記メインカバー部と前記サイドカバー部との間を通して前記電子機器を出し入れ可能な袋を前記バックカバー部とともに形成し、前記袋の縁である袋縁を有し、
前記サイドカバー部は前記電子機器の前記一方側の部分を収容可能な蓋を前記バックカバー部とともに形成し、前記メインカバー部に重なる縁である蓋縁を有し、
前記蓋縁の一方の端部は、前記袋への出し入れ方向における前記ケースの中心線から、当該蓋縁の他方の端部よりも離れて位置し、
前記袋縁の一方の端部は、前記袋への出し入れ方向において、当該袋縁の他方の端部よりも前記ケースの前記中心線から離れて位置し、
前記袋縁は、前記一方の端部から前記他方の端部に向けて、前記ケースの前記中心線に近づくように形成されている、
ことを特徴とするケース。
【請求項２】
請求項１に記載のケースにおいて、
前記蓋縁の前記一方の端部は前記袋縁の前記一方の端部よりも前記ケースの前記中心線寄りに位置している、
ことを特徴とするケース。
【請求項３】
請求項１又は２に記載のケースにおいて、
前記サイドカバー部と前記メインカバー部との重なり幅は、前記２つの縁の前記一方の端部よりも前記２つの縁の中央部で大きくなっている、
ことを特徴とするケース。
【請求項４】
請求項１乃至３のいずれかに記載のケースにおいて、
前記袋縁は、前記他方の端部側の部分に、前記ケースの前記中心線に向かって湾曲する湾曲部を有している、
ことを特徴とするケース。
【請求項５】
請求項２乃至４のいずれかに記載のケースにおいて、
前記袋縁の前記他方の端部と前記蓋縁の前記他方の端部との間には隙間が設けられている、
ことを特徴とするケース。
【請求項６】
請求項５に記載のケースにおいて、
前記袋縁は、前記湾曲部において前記ケースの前記中心線に向かって湾曲し、その後、前記中心線に向かって前記袋への出し入れ方向に伸びている、
ことを特徴とするケース。
【請求項７】
請求項１乃至６のいずれかに記載のケースにおいて、
前記袋縁は、前記電子機器の収納時において、前記操作スティックよりも前記ケースの中心線寄りに位置している、
ことを特徴とするケース。
【発明の詳細な説明】
【技術分野】
【０００１】
本発明は、伸縮性を有する材料で形成された、携帯型電子機器のケースに関する。
【背景技術】
【０００２】
表示画面と、表示画面の右側又は左側の少なくとも一方側に配置される操作スティックとを前面に有する携帯型電子機器が利用されている（例えば、下記特許文献１）。操作スティックは電子機器の前面から突出するように配置されている。従来、電子機器を保護するために、伸縮性を有する材料で形成された専用のケースが利用される場合がある。
【先行技術文献】
【特許文献】
【０００３】
【特許文献１】米国特許出願公開２００７／０２０２９５６号明細書
【発明の概要】
【発明が解決しようとする課題】
【０００４】
ところが、電子機器に合致したサイズを有するケースを利用する場合、ケースの形状によっては、電子機器の収納時に操作スティックが傾いた状態やスライドした状態で、ケース内で維持されてしまう場合がある。これは操作スティックの支持機構にとって好ましくない。
【０００５】
本発明の目的は、電子機器の出し入れ作業を容易化しながら、電子機器が必要時以外に出てしまうことを防止でき、且つ、操作スティックにかかる負荷を軽減し易くする形状のケースを提供することにある。
【課題を解決するための手段】
【０００６】
本発明に係るケースは、表示画面と当該表示画面の右側又は左側の一方側に設けられた操作スティックとを前面に備える携帯型電子機器を収容するためのケースである。前記ケースは伸縮性を有する。前記ケースは前記電子機器の背面を覆うためのバックカバー部と、前記電子機器の前面を覆うためのフロントバー部と、を含む。前記フロントカバー部は、前記電子機器の前記一方側の部分の前面を覆うためのサイドカバー部と、前記電子機器の残部の前面を覆うためのメインカバー部と、を含む。前記メインカバー部は、前記電子機器の前記残部を収容可能で且つ前記メインカバー部と前記サブカバー部との間を通して前記電子機器を出し入れ可能な袋を前記バックカバー部とともに形成する。また、前記メインカバー部は前記袋の縁として袋縁を有する。前記サイドカバー部は前記電子機器の前記一方側の部分を収容可能な蓋を前記バックカバー部とともに形成する。また、前記サイドカバー部は前記メインカバー部に重なる縁である蓋縁を有する。前記蓋縁の一方の端部は、前記袋への出し入れ方向における前記ケースの中心線から、当該蓋縁の他方の端部よりも離れて位置する。前記袋縁の一方の端部は、前記袋への出し入れ方向において、当該袋縁の他方の端部よりも前記ケースの前記中心線から離れて位置し、前記袋縁は、前記一方の端部から前記他方の端部に向けて、前記ケースの前記中心線に近づくように形成されている。
【０００７】
本発明によれば、電子機器の出し入れ作業を容易化しながら、電子機器が必要時以外に出てしまうことを防止でき、且つ、操作スティックにかかる負荷を軽減し易くなる。つまり、本発明では、サイドカバー部とメインカバー部との間を通して電子機器をメインカバー部によって構成される袋に入れ、また、電子機器の一方側を蓋に収容するので、必要時以外に電子機器がケースから出ることを防ぐことができる。また、蓋縁の一方の端部は、袋への出し入れ方向におけるケースの中心線から、他方の端部よりも離れて位置しているので、２つの端部が中心線から等距離に位置している構造に比べて、電子機器の出し入れを容易化できる。さらに、袋縁は、その一方の端部から他方の端部に向けて、ケースの中心線に近づくように形成されているので、袋縁が操作スティックに当らないようにする設計が容易になる。
【図面の簡単な説明】
【０００８】
【図１】本発明の一実施形態に係るケースの正面図である。
【図２】上記ケースに電子機器を入れる過程を示す正面図である。
【図３】上記ケースに電子機器を収納した状態でのケースの正面図である。
【図４】図３に示すＩＶ−ＩＶ線を切断面とするケースの断面図である。
【図５】上記ケースに挿入された電子機器の下面を臨む底面図である。
【発明を実施するための形態】
【０００９】
以下、本発明の一実施形態について図面を参照しながら説明する。図１は本発明の一実施形態に係るケース１の正面図である。図２はケース１に電子機器９０を入れる過程を示す正面図である。図３はケース１に電子機器９０を収納した状態でのケース１の正面図である。図４は図３に示すＩＶ−ＩＶ線を切断面とするケース１の断面図である。図５はケース１に挿入された電子機器９０の下面を臨む底面図である。
【００１０】
以下の説明では、図１においてＸ１，Ｘ２で示す方向がそれぞれ左方向，右方向であり、Ｚ１，Ｚ２で示す方向がそれぞれ上方，下方である。また、図４においてＹ１，Ｙ２で示す方向がそれぞれ前方，後方である。
【００１１】
図２に示すように、この例の電子機器９０は左右方向に細長い略直方体の機器である。電子機器９０はその前面に表示画面９１を有している。また、この例の電子機器９０はゲーム装置や、動画像再生装置、通信装置として機能する装置であり、表示画面９１の左右にユーザが操作可能な複数の操作部材を有している。具体的には、表示画面９１の右側には複数の操作ボタン９２Ａと、操作スティック９２Ｂとが配置されている。また、表示画面９１の左側には十字キー９２Ｃと、操作スティック９２Ｄとが配置されている。これらの操作部材９２Ａ〜９２Ｄは電子機器９０の前面から突出している。操作スティック９２Ｂ，９２Ｄは電子機器９０の前面から突出する軸部９２ａを有し（図４参照）、上下方向や左右方向など軸部９２ａの半径方向に傾けたり、傾けた状態で周方向に回転させることができる。また、操作スティック９２Ｂ，９２Ｄは軸部９２ａの半径方向にスライド可能であってもよい。操作スティック９２Ｂ，９２Ｄの突出高さは、操作ボタン９２Ａや十字キー９２Ｃよりも大きい。
【００１２】
ケース１は電子機器９０を収納するためのケースである。ケース１と電子機器９０は、ケース１が電子機器９０を収納した状態で１つの装置を構成してもよい。ケース１は、図１及び図４に示すように、電子機器９０の背面を覆うためのバックカバー部２と、電子機器９０の前面を覆うためのフロントカバー部２０とを有している。これら２つのカバー部２，２０は伸縮性を有するシート状部材である。例えば、カバー部２，２０は、伸縮性に加えて可撓性及びクッション性を有するゴム（例えばクロロプレンゴム）などをその材料とする。カバー部２，２０は電子機器９０に対応した形状を有している。この例の電子機器９０は、弧状に湾曲した側面９０ａを有しており（図２参照）、ケース１の左縁及び右縁も弧状に湾曲している。また、ケース１は電子機器９０に対応したサイズを有している。具体的には、カバー部２，２０のサイズは、ケース１の正面視で、電子機器９０よりも僅かに小さく設定されている。そのため、電子機器９０の収納時には、カバー部２，２０は僅かに伸張している。
【００１３】
フロントカバー部２０は、図１及び図４に示すように、サイドカバー部２２とメインカバー部２１とによって構成されている。サイドカバー部２２は、操作スティック９２Ｂが設けられた電子機器９０の右側部分の前面を覆うことができる。メインカバー部２１は電子機器９０の残部の前面、すなわち電子機器９０の左側部分の前面と表示画面９１とを覆うことができる。そのため、メインカバー部２１はサイドカバー部２２よりも大きな左右方向の幅を有している。
【００１４】
メインカバー部２１は、図４に示すように、電子機器９０の残部、すなわち電子機器９０の右側部分以外の部分を収容可能な袋Ａをバックカバー部２とともに形成している（以下において電子機器９０の残部を袋被収容部９０Ａ（図２参照）とする）。一方、サイドカバー部２２は電子機器９０の右側部分を収容可能な蓋Ｂをバックカバー部２とともに形成している。図２に示すように、袋Ａにはメインカバー部２１とサイドカバー部２２との間を通して電子機器９０を出し入れできる。すなわち、電子機器９０を入れる時には、サイドカバー部２２をメインカバー部２１に対して後方に曲げて、サイドカバー部２２とメインカバー部２１との間を広げ、袋Ａの入り口を露出させる。そして、その入り口から電子機器９０の袋被収容部９０Ａを袋Ａに挿入する。その後、サイドカバー部２２の伸縮性を利用して、サイドカバー部２２を電子機器９０の右側部分に被せる。電子機器９０の取り出し時は、サイドカバー部２２の伸縮性を利用しながら、サイドカバー部２２をメインカバー部２１に対して後方に曲げて、蓋Ｂから電子機器９０の右側部分を露出させる。その後、電子機器９０を袋Ａから取り出す。
【００１５】
図１及び図４に示すように、メインカバー部２１は、袋Ａの開口縁として機能する袋縁２１ａを有している。サイドカバー部２２はメインカバー部２１に重なる縁である蓋縁２２ａを有している。すなわち、蓋縁２２ａはメインカバー部２１の前面側に位置している。蓋縁２２ａをメインカバー部２１に重ねることにより、電子機器９０の前面の全域を覆うことができる。また、これら袋縁２１ａと蓋縁２２ａとの間を広げることにより、上述したように袋Ａに電子機器９０を入れたり、袋Ａから電子機器９０を取り出すことができる。
【００１６】
なお、メインカバー部２１の袋縁２１ａ以外の縁はバックカバー部２の外縁に接続されている。また、サイドカバー部２２の蓋縁２２ａ以外の縁もバックカバー部２の外縁に接続されている。この例では、メインカバー部２１とサイドカバー部２２とバックカバー部２は、ケース１の製造前では互いに独立したシート状部材であり、メインカバー部２１の縁とサイドカバー部２２の縁はバックカバー部２の外縁に縫い合わされている。この例のケース１では、カバー部２，２１，２２の縁にはバイアステープ３が設けられている。なお、図１ではバイアステープ３を縫合する糸３ａが示されている。
【００１７】
図１に示すように、蓋縁２２ａの一方の端部（この例では、上端）２２ｂは、袋Ａへの電子機器９０の出し入れ方向（この例では左右方向）におけるケース１の中心線Ｃ１から、他方の端部（この例では下端）２２ｃよりも離れて位置している（以下では電子機器９０の出し入れ方向を単に左右方向と称する）。そのため、サイドカバー部２２の上側部分は、電子機器９０との重なり幅、すなわち左右方向における幅Ｗ１が小さくなる。その結果、サイドカバー部２２を電子機器９０の右側部分に被せたり、サイドカバー部２２から電子機器９０の右側部分を露出させ易くなる。なお、ここで中心線Ｃ１は、電子機器９０の出し入れ方向におけるケース１の中心を通り、且つケース１を含む平面と平行な直線である。
【００１８】
この例の蓋縁２２ａは概ね直線的に形成され、左右方向に対して傾斜している。そのため、ケース１の左右方向の端部を通り、中心線Ｃ１と平行な直線Ｌ１と蓋縁２２ａとの距離Ｄ１は上方に向かって徐々に小さくなっている。
【００１９】
この例のケース１の外周縁は、図１に示すように、電子機器９０の形状に合わせて、電子機器９０の長手方向に直線的に形成された直線部１ａと、湾曲部１ｂとを有している。蓋縁２２ａの上端２２ｂは直線部１ａと湾曲部１ｂとの境に位置している。そのため、上端２２ｂが直線部１ａに位置する形状に比べて、サイドカバー部２２を電子機器９０の右側部分に被せたり、サイドカバー部２２から電子機器９０の右側部分を露出させる作業が容易になる。
【００２０】
なお、この例の電子機器９０は上述したように湾曲した側面９０ａを有している。電子機器９０のこのような形状によれば、サイドカバー部２２を電子機器９０の右側部分に被せる作業や、サイドカバー部２２を電子機器９０の右側部分から外す作業が容易となる。また、この例の電子機器９０の背面は、図４に示すように、その外周部９０ｃで湾曲している。背面のこのような形状によれば、サイドカバー部２２を電子機器９０の右側部分に被せる作業がさらに容易となる。
【００２１】
メインカバー部２１の袋縁２１ａは、図１に示すように、サイドカバー部２２によって覆われている。袋縁２１ａの一方の端部（蓋縁２２ａの上記一方の端部２２ｂと重なる端部）は、他方の端部よりも、ケース１の中心線Ｃ１から離れて位置している。この例の電子機器９０は、電子機器９０の上下方向の中心線Ｃ２よりも下側に、操作スティック９２Ｂを有している（図２参照）。そこで、この例では、袋縁２１ａの上端２１ｂが下端２１ｃよりもケース１の中心線Ｃ１から離れて位置している。換言すると、下端２１ｃは上端２１ｂよりも中心線Ｃ１寄りに位置している。そして、袋縁２１ａは上端２１ｂから下端２１ｃに向けて、ケース１の中心線Ｃ１に近づくように形成されている。上述したように、蓋縁２２ａの上端２２ｂも下端２２ｃに比べて中心線Ｃ１から離れて位置している。このような蓋縁２２ａと袋縁２１ａの形状によれば、電子機器９０の出し入れの容易化及び電子機器９０の前面の保護を図りながら、袋縁２１ａが操作スティック９２Ｂに当らないようにケース１を設計し易くなる（図３参照）。この例では、図１に示すように、蓋縁２２ａの上端２２ｂは袋縁２１ａの上端２１ｂよりもケース１の中心線Ｃ１寄りに位置している。すなわち、サイドカバー部２２は袋縁２１ａの上端２１ｂを覆っている。電子機器９０の前面の露出を抑えやすくなる。
【００２２】
図１に示すように、袋縁２１ａは、その下側部分に、ケース１の中心線Ｃ１に向かって湾曲した湾曲部２１ｄを有している。袋縁２１ａのこのような形状によれば、袋縁２１ａが操作スティック９２Ｂに当らない設計がさらに容易になる。また、袋縁２１ａをこのように湾曲部２１ｄで湾曲させることにより、左右方向に延伸する後述する延伸部２１ｆを袋縁２１ａに設けることができる。
【００２３】
図３及び図４に示すように、袋縁２１ａの湾曲部２１ｄは、電子機器９０の収納時において、操作スティック９２Ｂよりもケース１の中心線Ｃ１寄りに位置している。そのため、操作スティック９２Ｂが袋縁２１ａによって右方向に傾けられることを防ぐことができる。なお、電子機器９０には、上述したように、表示画面９１の左側に位置する操作スティック９２Ｄが設けられている。電子機器９０の収納時には、操作スティック９２Ｄはメインカバー部２１によって覆われる。その際、メインカバー部２１から操作スティック９２Ｄに作用する力の大部分は、操作スティック９２Ｄを電子機器９０に向けて押す力であり、操作スティック９２Ｄを傾けようとする力は限られる。
【００２４】
図１に示すように、サイドカバー部２２は、メインカバー部２１との重なり幅Ｗ２を有している。蓋縁２２ａの中央部（すなわち上下方向での中央部）での重なり幅は、蓋縁２２ａの上端２２ｂでの重なり幅よりも大きい。サイドカバー部２２とメインカバー部２１のこのような配置によれば、電子機器９０の収納時においても、重なり幅Ｗ２が解消されることを防ぎやすくなる。つまり、蓋縁２２ａの上端２２ｂと下端２２ｃはバックカバー部２の縁に接続されている。蓋縁２２ａの中央部は上端２２ｂや下端２２ｃから離れて位置している。電子機器９０の収容時、サイドカバー部２２が電子機器９０の厚さに起因して伸張することにより、蓋縁２２ａの中央部の位置は袋縁２１ａに対して右方向に相対的に動き、重なり幅Ｗ２が減少する（図３参照）。この例では、蓋縁２２ａの中央部での重なり幅は、蓋縁２２ａの上端２２ｂでの重なり幅よりも大きいので、重なり幅が解消され電子機器９０の前面が露出することを、防ぎやすくなる。
【００２５】
特にこの例では、蓋縁２２ａと袋縁２１ａは、重なり幅Ｗ２が上端２２ｂ，２１ｂから下端２２ｃ，２１ｃに向かって徐々に大きくなるように形成されている。この例では、重なり幅Ｗ２の増大は、図１に示すように、上端２２ｂ，２１ｂから、上下方向の中心線Ｃ２よりも下側の領域まで続いている。この例では、重なり幅Ｗ２のこのように増大させるために、蓋縁２２ａは、中心線Ｃ１に沿った方向、すなわち上下方向に対して、袋縁２１ａよりも大きく傾斜している。
【００２６】
図１に示すように、袋縁２１ａの下端２１ｃと蓋縁２２ａの下端２２ｃとの間には左右方向の隙間Ｇ１が設けられている。すなわち、袋縁２１ａの下端２１ｃは蓋縁２２ａの下端２２ｃよりもケース１の中心線Ｃ１寄りに位置している。この隙間Ｇにより、蓋縁２２ａと袋縁２１ａとバックカバー部２の縁とで囲まれる開口Ｅが形成されている。この開口Ｅは、電子機器９０の収納時には、図５に示すように、下方に向き、この開口Ｅを通して電子機器９０の下面の一部を露出させることができる。この例では、電子機器９０の下面には、コネクタ９５が設けられており、開口Ｅを通してコネクタ９５を露出させることができる。なお、コネクタ９５は、例えば、ヘッドホンジャックである。また、コネクタ９５は電子機器９０の充電用コネクタでもよい。
【００２７】
上述したように、袋縁２１ａは湾曲部２１ｄを有している。袋縁２１ａは、図１に示すように、湾曲部２１ｄにおいてケース１の中心線Ｃ１に向かって湾曲し、その後、中心線Ｃ１に向かって左右方向に伸びている。すなわち、袋縁２１ａは湾曲部２１ｄの終端と下端２１ｃとの間に、左右方向に伸びる延伸部２１ｆを有している。このような延伸部２１ｆによれば、開口Ｅの左右方向での幅、すなわち隙間Ｇを確保し易くなる。その結果、ケース１内で電子機器９０の位置が動いた場合であっても、確実にコネクタ９５を露出させることができる。また、上述したように、電子機器９０の収納時にはサイドカバー部２２とメインカバー部２１との重なり幅Ｗ２は、非収納時よりも小さくなる。袋縁２１ａに延伸部２１ｆを設けることにより、重なり幅Ｗ２の減少による電子機器９０の前面の下側の露出を、防ぐことができる。
【００２８】
湾曲部２１ｄの終端の位置は、電子機器９０の収納時に、終端が電子機器９０の下縁に位置するように設定されている。換言すると、バックカバー部２１の外縁と延伸部２１ｆとの間の隙間Ｇ２は、電子機器９０の収納時に、延伸部２１ｆが電子機器９０の下縁に沿って位置するように設定されている（図３参照）。そのため、図３に示すように、電子機器９０の収納時に、ケース１の正面視では、開口Ｅは露出しない。その結果、コネクタ９５を下方に露出させながら、電子機器９０の前面の全域を保護することができる。
【００２９】
以上説明したように、ケース１によれば、サイドカバー部２２とメインカバー部２１との間を通して電子機器９０を袋Ａに入れ、また、電子機器９０の右側部分を蓋Ｂに収容するので、必要時以外に電子機器９０がケース１から出ることを防ぐことができる。また、蓋縁２２ａの上端２２ｂは、左右方向におけるケース１の中心線Ｃ１から、下端２２ｃよりも離れて位置しているので、２つの端部２２ｂ，２２ｃが中心線Ｃ１から等距離に位置している構造に比べて、電子機器９０の出し入れを容易化できる。さらに、袋縁２１ａは、上端２１ｂから下端２１ｃに向けて、ケース１の中心線Ｃ１に近づくように形成されているので、袋縁２１ａが操作スティック９２Ｂに当らないようにする設計が容易になる。
【００３０】
また、ケース１では、蓋縁２２ａの上端２２ｂは袋縁２１ａの上端２１ｂよりもケース１の中心線Ｃ１寄りに位置している。そのため、電子機器９０の前面の露出を抑えやすくなる。
【００３１】
また、サイドカバー部２２とメインカバー部２１との重なり幅Ｗ２は、上端２２ｂ，２１ｂよりも縁２１ａ，２２ａの中央部で大きくなっている。サイドカバー部２２とメインカバー部２１のこのような配置によれば、電子機器９０の収納時に電子機器９０の前面が露出し難くなる。
【００３２】
また、袋縁２１ａは、下端２１ｃ側に、ケース１の中心線Ｃ１に向かって湾曲する湾曲部２１ｄを有している。この形状によれば、袋縁２１ａが操作スティック９２Ｂに当らないようにする設計がさらに容易になる。
【００３３】
また、以上の説明では、袋縁２１ａの下端２１ｃと蓋縁２２ａの下端２２ｃとの間には隙間Ｇ１が設けられている。この構造によれば、電子機器９０の下側部分に設けられ且つ電子機器９０の収納時においても使用可能な部品を、外部に露出させることができる。以上の説明では、電子機器９０の下面に設けられたコネクタ９５を露出させることができる。また、袋縁２１ａの下端２１ｃと蓋縁２２ａの下端２２ｃとの間には隙間Ｇ１が設けられる一方で、蓋縁２２ａの上端２２ｂは袋縁２１ａの上端２１ｂよりもケース１の中心線Ｃ１寄りに位置しているので、不要な部分の露出を防ぐことができる。
【００３４】
また、袋縁２１ａは、湾曲部２１ｄにおいてケース１の中心線Ｃ１に向かって湾曲し、その後、中心線Ｃ１に向けて左右方向に伸びている。この構造によれば、コネクタ９５を露出させるための開口Ｅの幅を確保し易くなる。
【００３５】
また、袋縁２１ａは、電子機器９０の収納時において、操作スティック９２Ｂよりもケース１の中心線Ｃ１寄りに位置している。これによれば、袋縁２１ａが操作スティック９２Ｂを押すことを防ぐことができる。
【００３６】
なお、本発明は以上説明したケース１に限られず、種々の変更が可能である。
【００３７】
例えば、以上の説明では、蓋縁２２ａは直線的に形成されていた。しかしながら、蓋縁２２ａは、例えば、メインカバー部２１に向かって膨らむように湾曲してもよい。
【００３８】
また、以上の説明では、メインカバー部２１はバックカバー部２に縫い合わされ、サイドカバー部２２もバックカバー部２に縫い合わされていた。しかしながら、メインカバー部２１とバックカバー部２は１枚のシート状部材から構成されてもよい。また、サイドカバー部２２とバックカバー部２とが１枚のシート状部材から構成されてもよい。
【００３９】
また、以上の説明では、蓋縁２２ａの下端２２ｃと袋縁２１ａの下端２１ｃとの間には隙間Ｇ１が設けられていた。しかしながら、この隙間Ｇ１は必ずしも設けられていなくてもよい。
【符号の説明】
【００４０】
１  ケース、２  バックカバー、３  バイアステープ、Ａ  袋、Ｂ  蓋、Ｅ  開口、Ｇ
隙間、２０  フロントカバー部、２１  メインカバー部、２１ａ  袋縁、２１ｂ  上端、２１ｃ  下端、２１ｄ  湾曲部、２１ｆ  延伸部、２２  サイドカバー部、２２ａ  蓋縁、２２ｂ  上端、２２ｃ  下端、９０  電子機器、９０Ａ  残部、９１  表示画面、９２Ｂ，９２Ｄ  操作スティック、９５  コネクタ、Ｃ１  出し入れ方向（左右方向）の中心線、Ｃ２  上下方向の中心線。
【図１】
2012253323.tif 000003
【図２】
2012253323.tif 000004
【図３】
2012253323.tif 000005
【図４】
2012253323.tif 000006
【図５】
2012253323.tif 000007